(57)【要約】【課題】壁面への画像表示装置の設置を容易にする設置装置及び設置方法の提供を目的とする。【解決手段】設置装置は、前面に画像を表示する画像表示装置の後面に固定する第一固定部材２１と壁面に固定する第二固定部材２２とを有す。第一固定部材２１は、第二固定部材２２の前側にビーム光を放出する光放出部２１２を備える。第二固定部材２２は、自身とは反射率が異なる鏡反射シート２３を前側に備える。光放出部２１２から放出されたビーム光が鏡反射シート２３に入射した場合、鏡反射シート２３で反射されたビーム光は、鏡反射シート２３のない第二固定部材２２の前側領域で反射されたビーム光と反射態様が相違することになる。ビーム光の反射態様を参照することにより、壁面への画像表示装置１の設置が容易となる。【選択図】図２
2014071162.tif 000002
【特許請求の範囲】
【請求項１】
前面に画像を表示する画像表示装置の後面に固定する第一固定部材と、壁面に固定する第二固定部材とを有し、前記第一固定部材の壁面側にある嵌合部を前記第二固定部材の画像表示装置側にある被嵌合部に嵌合して前記画像表示装置を前記壁面に設置する設置装置において、
前記第一固定部材の壁面側に設けてあり、前記第二固定部材の画像表示装置側にビーム光を放出する光放出部と、
前記第二固定部材の画像表示装置側に設けてあり、前記第二固定部材と反射率が異なり、前記光放出部から放出されたビーム光を反射する反射部材とを備え、
前記光放出部及び前記嵌合部の中心間の距離が、前記反射部材及び前記被嵌合部の中心間の距離と実質的に同一となるようにしてある
ことを特徴とする設置装置。
【請求項２】
前記反射部材は、鏡面反射部材または光吸収部材である  
ことを特徴とする請求項１に記載の設置装置。
【請求項３】
前記反射部材の周辺に、乱反射部材が設けてある  
ことを特徴とする請求項２に記載の設置装置。
【請求項４】
前記被嵌合部は額縁形状をなし、外側面に切欠部を備え、
該切欠部及び前記被嵌合部の中心間の距離が、前記光放出部及び前記嵌合部の中心間の距離と実質的に同一となるようにしてある
ことを特徴とする請求項１から３のいずれか一つに記載の設置装置。
【請求項５】
前面に画像を表示する画像表示装置の後面に固定する第一固定部材と壁面に固定する第二固定部材とを有する設置装置を用い、前記第一固定部材の壁面側にある嵌合部を前記第二固定部材の画像表示装置側にある被嵌合部に嵌合して前記画像表示装置を前記壁面に設置する設置方法において、
前記第一固定部材を前記画像表示装置の後面に固定するステップと、
前記第二固定部材を前記壁面に固定するステップと、
ビーム光を放出する光放出部を、前記第一固定部材の壁面側に用意するステップと、
前記光放出部から前記第二固定部材の画像表示装置側にビーム光を放出するステップと、
前記第二固定部材と反射率が異なる反射部材を、前記第二固定部材の画像表示装置側に用意するステップと、
前記光放出部及び前記嵌合部の中心間の距離が前記反射部材及び前記被嵌合部の中心間の距離と実質的に同一となるように、前記第二固定部材の位置を調整するステップと、
前記第一固定部材の嵌合部を、放出した前記ビーム光を調整した前記反射部材で反射する前記第二固定部材の被嵌合部に嵌合するステップと
を備えることを特徴とする設置方法。
【発明の詳細な説明】
【技術分野】
【０００１】
本発明は、壁面に画像表示装置を設置する設置装置及び設置方法に関する。
【背景技術】
【０００２】
画像表示装置の薄型化および軽量化に伴い、画像表示装置を壁面に設置する方法および装置が実用化されている。壁面ではなく、テレビ台などの設置面に設置する方法および装置も実用化されているが、耐震性、デザイン性、設置自由度などの観点から、壁面への設置に対する注目度が大きくなっている。
【０００３】
画像表示装置を壁面に設置する場合、前面に画像を表示する画像表示装置の後面に固定する第一固定部材と、壁面に固定する第二固定部材とを有する設置装置を用いる。設置を行う作業者は、第一固定部材にある嵌合部を第二固定部材にある被嵌合部に嵌合し、画像表示装置を壁面に設置する。画像表示装置を持って嵌合を行う作業者は、画像表示装置の後面側を目視しにくい。したがって、手に持った画像表示装置の上下左右を調節して壁面に設置することは、作業者にとって容易でない。
【０００４】
非特許文献１は、壁面へ設置後の画像表示装置の四隅期待位置を予め壁面に記し、手に持った画像表示装置の位置がその記した四隅期待位置に合うように画像表示装置を調整し、嵌合部と被嵌合部とを嵌合させて壁面に設置する方法を提案している。
【先行技術文献】
【非特許文献】
【０００５】
【非特許文献１】“寸法図／壁掛け金具取り付け時の寸法”、“壁に掛けて設置する場合は”、“壁掛け設置のしかた（例）”［online］、［平成23年9月21日検索］（http://www.sharp.co.jp/support/aquos/doc/size_lc80_70gl7.pdf）
【発明の概要】
【発明が解決しようとする課題】
【０００６】
しかしながら、画像表示装置の壁面への設置を容易にする従来の試みは、改善の余地がある。たとえば、画像表示装置の四隅期待位置を、作業者自身が予め壁面に記す必要がある。記された四隅期待位置が不正確な場合には、嵌合部と被嵌合部とを嵌合させることが困難となる虞がある。また、手に持った画像表示装置が壁面に近づくにつれて、壁面にある四隅期待位置付近に明かりが届きにくくなり、手に持った画像表示装置の四隅と壁面にある四隅期待位置とを合わせること及び嵌合部と被嵌合部とを嵌合させることが困難となる虞もある。
【０００７】
本発明は斯かる事情に鑑みてなされたものであって、壁面への画像表示装置の設置を容易にする設置装置及び設置方法の提供を目的とする。
【課題を解決するための手段】
【０００８】
本発明に係る設置装置は、前面に画像を表示する画像表示装置の後面に固定する第一固定部材と、壁面に固定する第二固定部材とを有し、前記第一固定部材の壁面側にある嵌合部を前記第二固定部材の画像表示装置側にある被嵌合部に嵌合して前記画像表示装置を前記壁面に設置する設置装置において、前記第一固定部材の壁面側に設けてあり、前記第二固定部材の画像表示装置側にビーム光を放出する光放出部と、前記第二固定部材の画像表示装置側に設けてあり、前記第二固定部材と反射率が異なり、前記光放出部から放出されたビーム光を反射する反射部材とを備え、前記光放出部及び前記嵌合部の中心間の距離が、前記反射部材及び前記被嵌合部の中心間の距離と実質的に同一となるようにしてあることを特徴とする。
【０００９】
上述の設置装置では、ビーム光を放出する光放出部及び被嵌合部に嵌合する嵌合部の位置関係が、反射部材及び被嵌合部の位置関係と実質的に同一となる。
【００１０】
ビーム光は直進性を有している。ビーム光が反射部材で反射した場合には、反射部材がない第二固定部材の画像表示装置側で反射した場合と比較し、反射したビーム光の視認性が異なることになる。例えば、反射部材の反射率が極めて低い場合には、反射部材で反射したビーム光が視認し難くなる。つまりこの例では、反射したビーム光が視認し難くなった場合、光放出部と反射部材とが直線上で結ばれる位置関係になったと判断することができる。また、反射部材の反射角度が非凡な場合には、反射部材で反射したビーム光の軌道に変化が生じることになる。つまりこの例では、反射したビーム光の軌道が非凡となった場合、光放出部と反射部材とが直線上で結ばれる位置関係になったと判断することができる。上述の設置装置では、光放出部及び嵌合部の位置関係が、反射部材及び被嵌合部の位置関係と実質的に同一となるため、光放出部から放出されたビーム光の反射光に対する視認態様を考慮することにより、画像表示装置と第一固定部材と第二固定部材と壁面との位置関係が容易に把握できるようになる。
【００１１】
また本発明に係る設置装置は、前記反射部材は、鏡面反射部材または光吸収部材であることを特徴とする。
【００１２】
上述の設置装置では、反射部材として鏡面反射部材または光吸収部材を使用する。鏡面反射部材は、鏡と同様に、自身の表面に入射した光を同じ角度で反対側に反射する部材であり、光吸収部材は、入射した光に対する吸収する部材である。光放出部から放出されたビーム光の反射光に対する視認態様を考慮することにより、画像表示装置と第一固定部材と第二固定部材と壁面との位置関係が容易に把握できるようになる。
【００１３】
また本発明に係る設置装置は、前記反射部材の周辺に、乱反射部材が設けてあることを特徴とする。
【００１４】
上述の設置装置では、乱反射部材を反射部材の周辺に設けてある。乱反射部材は光を拡散して反射する部材である。光放出部から放出されたビーム光の反射光が乱反射したことを目印として、若干の修正により光放出部と反射部材とが直線上で結ばれる位置関係になる、と把握することができる。
【００１５】
また本発明に係る設置装置は、前記被嵌合部は額縁形状をなし、外側面に切欠部を備え、該切欠部及び前記被嵌合部の中心間の距離が、前記光放出部及び前記嵌合部の中心間の距離と実質的に同一となるようにしてあることを特徴とする。
【００１６】
上述の設置装置では、被嵌合部との中心距離が、光放出部及び嵌合部位の中心間の距離と実質的に同一な切欠部を備える。直進性を有するビーム光の軌道と切欠部との位置関係を視認することにより、画像表示装置と第一固定部材と第二固定部材と壁面との位置関係が容易に把握できるようになる。
【００１７】
本発明に係る設置方法は、前面に画像を表示する画像表示装置の後面に固定する第一固定部材と壁面に固定する第二固定部材とを有する設置装置を用い、前記第一固定部材の壁面側にある嵌合部を前記第二固定部材の画像表示装置側にある被嵌合部に嵌合して前記画像表示装置を前記壁面に設置する設置方法において、前記第一固定部材を前記画像表示装置の後面に固定するステップと、前記第二固定部材を前記壁面に固定するステップと、ビーム光を放出する光放出部を、前記第一固定部材の壁面側に用意するステップと、前記光放出部から前記第二固定部材の画像表示装置側にビーム光を放出するステップと、前記第二固定部材と反射率が異なる反射部材を、前記第二固定部材の画像表示装置側に用意するステップと、前記光放出部及び前記嵌合部の中心間の距離が前記反射部材及び前記被嵌合部の中心間の距離と実質的に同一となるように、前記第二固定部材の位置を調整するステップと、前記第一固定部材の嵌合部を、放出した前記ビーム光を調整した前記反射部材で反射する前記第二固定部材の被嵌合部に嵌合するステップとを備えることを特徴とする。
【００１８】
上述の設置方法では、ビーム光を放出する光放出部及び被嵌合部に嵌合する嵌合部の位置関係が、反射部材及び被嵌合部の位置関係と実質的に同一となる。光放出部から放出されたビーム光の反射光に対する視認態様を考慮することにより、画像表示装置と第一固定部材と第二固定部材と壁面との位置関係を把握し、嵌合部を被嵌合部に嵌合する。
【発明の効果】
【００１９】
本発明にあっては、ビーム光を放出する光放出部及び被嵌合部に嵌合する嵌合部の位置関係が、反射部材及び被嵌合部の位置関係と実質的に同一となる。直進性を有するビーム光とその反射光との視認態様を考慮することにより、画像表示装置と第一固定部材と第二固定部材と壁面との位置関係が把握できる。したがって、嵌合部及び被嵌合部の嵌合により壁面へ画像表示装置を設置する作業が容易になる。
【図面の簡単な説明】
【００２０】
【図１】設置装置の外観を説明する模式説明図である。
【図２】設置装置を用いて画像表示装置を壁面に設置する方法を説明する説明図である。
【図３】光放出穴を介してビーム光を放出する方法を説明する説明図である。
【図４】設置装置を用いて画像表示装置を壁面に設置する手順を示すフローチャートである。
【図５】設置装置を用いて画像表示装置を壁面に設置する方法を説明する他の説明図である。
【図６】第二固定部材に設けた乱反射シートを説明する模式図である。
【発明を実施するための形態】
【００２１】
（実施の形態１）
以下、本発明をその実施の形態を示す図面に基づいて具体的に説明する。
【００２２】
図１は、設置装置２の外観を説明する模式説明図である。図２は、設置装置２を用いて画像表示装置１を壁面に設置する方法を説明する説明図である。画像表示装置１は、液晶パネル又はＥＬ（エレクトロルミネセンス）パネル等を有しており、画像を表示する装置であり、設置装置２を介して壁面に設置される。
【００２３】
設置装置２は、上下方向よりも左右方向が長い矩形の前面に画像を表示する画像表示装置１の後面に固定する第一固定部材２１と、壁面に固定する第二固定部材２２とを有する。設置装置２のうち、画像表示装置１側を前側、壁面側を後側として以下の説明を行う。また、第一固定部材２１の前側が画像表示装置１の後面に固定され、第二固定部材２２の後側が壁面に固定される構成として、以下の説明を行う。更に、第一固定部材２１の後側と第二固定部材２２の前側とを嵌合することにより、画像表示装置１を壁面に固定する構成として、以下の説明を行う。
【００２４】
第一固定部材２１は、画像表示装置１の後面で左右方向に並設される２つの柱状金具から構成してある。各柱状金具の各側面には、突起状の嵌合部２１１が上下方向に離隔して２つ設けてある。また、画像表示装置１に固定される各柱状金具の前面には、ビーム光を放出するための光放出穴２１２が設けてある。画像表示装置１の後面側からビーム光が放出された場合、この光放出穴２１２を通して、そのビーム光を第二固定部材２２に放出することができる。
【００２５】
第二固定部材２２は、溝型アングル形状の縦金具二枚と板状の横金具二枚とを組み合わせて額縁形状にしてある。各縦金具の各側面には、前後方向と上下方向とからなるフック形状に切り欠かれた被嵌合部２２１が、上下方向に離隔して２つ設けてある。各被嵌合部２２１は、フック形状の前後方向に延びる前後方向部位２２２と、フック形状の上下方向に延びる上下方向部位２２３とを含む。第一固定部材２１の嵌合部２１１それぞれを第二固定部材２２の対応する被嵌合部２２１にあるフック形状の前後方向部位２２２には嵌め合わすことにより、第一固定部材２１を第二固定部材２２に嵌合する。嵌合した後、第一固定部材２１を更に嵌め込んで下方に押し下げることにより、各嵌合部２１１が被嵌合部２２１にある上下方向部位２２３の下端に接触する。そのため、第一固定部材２１が第二固定部材２２から離れることを防止できる。
【００２６】
第二固定部材２２は、各縦金具の前側に鏡反射シート２３を有する。鏡反射シート２３は、鏡と同様に、自身の表面に入射した光を同じ角度で反対側に反射するシートである。鏡反射シート２３及び上方にある被嵌合部２２１の前後方向部位２２２の中心間の距離は、光放出穴２１２及び上方の嵌合部２１１の中心間の距離と実質的に等しい。また、鏡反射シート２３及び下方にある被嵌合部２２１の前後方向部位２２２の中心間の距離は、光放出穴２１２及び下方の嵌合部２１１の中心間の距離と実質的に等しい。つまり鏡反射シート２３は、嵌合部２１１が被嵌合部２２１に嵌合される際に、光放出穴２１２と対向する位置に配置してある。
【００２７】
第二固定部材２２にある各縦金具の各側面には、前後方向に切り欠かれた切り欠き部位２２４が設けてある。切り欠き部位２２４は、第二固定部材２２の表面に対して直角であり、側面視で鏡反射シート２３と同一直線上となるように配置してある。したがって切り欠き部位２２４は、嵌合部２１１が被嵌合部２２１に嵌合される際に、光放出穴２１２及び鏡反射シート２３と側面視で同一線上となる位置に配置してある。  
【００２８】
図３は、光放出穴２１２を介してビーム光を放出する方法を説明する説明図である。以下、ビーム光として、波長及び位相をそろえた光の束であるレーザ光を用いた一例について説明する。図３Ａは、レーザ光を発生するレーザ光発生機３を内蔵した画像表示装置１を用い、レーザ光発生機３が発生したレーザ光を光放出穴２１２を介して第二固定部材２２の前側へ放出する例について示してある。図３Ｂは、レーザ光を発生するレーザ光発生機３の挿入口及び挿入されたレーザ光発生機３が発生するレーザ光を反射する反射鏡４を備える画像表示装置１を用い、挿入したレーザ光発生機３が発生したレーザ光を画像表示装置１に内蔵した反射鏡４で光放出穴２１２の方向へ反射し、反射したレーザ光を光放出穴２１２を介して第二固定部材２２の前側へ放出する例について示してある。図３Ｃは、レーザ光を発生するレーザ光発生機３とレーザ光発生機３が発生するレーザ光を反射する反射鏡４との外部取付可能な画像表示装置１を用い、外部取り付けしたレーザ光発生機３が発生したレーザ光を外部取り付けした反射鏡４で光放出穴２１２の方向へ反射し、反射したレーザ光を光放出穴２１２を介して第二固定部材２２の前側へ放出する例について示してある。これらの構成により、レーザ光を光放出穴２１２から放出することが可能となる。図３では画像表示装置１にレーザ光発生機３を取り付ける例について示してあるが、設置装置２自体にレーザ光発生機３を取り付ける構成としてもよい。例えば、出荷段階における準備により、光放出穴２１２に小型のレーザ光発生機３を取り付ける構成としてもよい。
【００２９】
図４は、設置装置２を用いて画像表示装置１を壁面に設置する手順を示すフローチャートである。作業者は、前面に画像を表示する画像表示装置１の後面に第一固定部材２１の前側を固定し（Ｓ１１）、壁面の希望する設置位置に第二固定部材２２の後側を固定する（Ｓ１２）。作業者は、レーザ光発生機３が発生したレーザ光を光放出穴２１２から放出し（Ｓ１３）、放出したレーザ光が側面視で切り欠き部位２２４と同一直線上になるように、手に持っている画像表示装置１の角度を調整する（Ｓ１４）。画像表示装置１が壁面に近づくことにより明かりが届きにくくなる状況においても、放出されるレーザ光自身の明かりにより、画像表示装置１と壁面にある希望の設置位置との関係を作業者は把握しやすくなる。また、放出されたレーザ光が鏡反射シート２３に照射された場合には、鏡面反射した反射光の軌道を視認することにより、第一固定部材２１の嵌合部２１１を第二固定部材２２の被嵌合部２２１へ嵌合できる位置関係に近づいたか否かを作業者は把握しやすくなる。
【００３０】
図５は、設置装置２を用いて画像表示装置１を壁面に設置する方法を説明する他の説明図である。第一固定部材２１の嵌合部２１１を第二固定部材２２の被嵌合部２２１へ嵌合できる位置関係に近づいたが、手に持っている画像表示装置１の角度が適切でない場合、光放出穴２１２から放出されたレーザ光および鏡反射シート２３で反射されたレーザ光が同一直線上とならない（図５Ａ）。一方、第一固定部材２１の嵌合部２１１を第二固定部材２２の被嵌合部２２１へ嵌合できる位置関係に近づき、手に持っている画像表示装置１の角度も適切である場合には、光放出穴２１２から放出されたレーザ光および鏡反射シート２３で反射されたレーザ光が同一直線上となる（図５Ｂ）。したがって、レーザ光を視認することにより、手に持った画像表示装置１の角度調整が容易となる。
【００３１】
作業者は、レーザ光の反射状況を参考にして、手に持っている画像表示装置１の角度を更に調整し（Ｓ１４）、第一固定部材２１の嵌合部２１１を第二固定部材２２の被嵌合部２２１へ嵌合する（Ｓ１５）。作業者は、第一固定部材２１を更に嵌め込んで下方に押し下げ、嵌合部２１１を被嵌合部２２１にある上下方向部位２２３の下端に接触させ、手順を終了する。
【００３２】
上述した手順によって、画像表示装置１に固定した第一固定部材２１と壁面に固定した第二固定部材２２との位置関係を調整しやすくなり、壁面への画像表示装置１の設置が容易となる。
【００３３】
（実施の形態２）
実施の形態１の設置装置２は、第二固定部材２２の前側に鏡反射シート２３を設けている。実施の形態２の設置装置２は、第二固定部材２２の前側に設けた鏡反射シート２３の周囲に乱反射シート２４を更に設けてある。乱反射シート２４が更に設けてある以外、その他の構成は実施の形態１の設置装置２と同様であるため、その他の構成についての詳細な説明は省略する。
【００３４】
図６は、第二固定部材２２に設けた乱反射シート２４を説明する模式図である。図６Ａは、第二固定部材２２にある各縦金具の前側を例示しており、図６Ｂは、第二固定部材２２にある各縦金具の側面側を例示している。後側が壁面に固定される第二固定部材２２は、各縦金具の前側に設けた鏡反射シート２３の周囲に乱反射シート２４を有する。乱反射シート２４は、凹凸面のある表面をしており、入射した光を多方向へ拡散する反射するシートである。光放出穴２１２から放出されたレーザ光が乱反射シート２４に入射した場合、第二固定部材２２の他の前面部分と比べて、より拡散した反射光が生じることになる。
【００３５】
光放出穴２１２から放出されたレーザ光の反射光がより拡散されるようになった場合、光放出穴２１２から放出されたレーザ光が乱反射シート２４に照射していることを示している。乱反射シート２４の中央に鏡反射シート２３が配置してあるため、反射光がより拡散されるようになった場合には、手に持った画像表示装置１の位置および角度を若干修正にすることにより、嵌合部２１１を被嵌合部２２１へ嵌合できる位置関係になるとユーザは把握することができる。つまり、乱反射を目印として画像表示装置１の位置および角度を調整することにより、画像表示装置１に固定した第一固定部材２１と壁面に固定した第二固定部材２２との位置関係を更に調整しやすくなり、壁面への画像表示装置１の設置が更に容易となる。
【００３６】
（実施の形態３）
実施の形態１の設置装置２は、第二固定部材２２の前側に鏡反射シート２３を設けている。実施の形態３の設置装置２は、鏡反射シート２３ではなく、第二固定部材２２の前側に光吸収シート２５（不図示）を設けてある。鏡反射シート２３の代わりに光吸収シート２５が設けてある以外、その他の構成は実施の形態１の設置装置２と同様であるため、その他の構成についての詳細な説明は省略する。
【００３７】
光吸収シート２５は、表面が連続微細多孔質層で構成しており、入射した光に対する吸収効率が高いシートである。光放出穴２１２から放出されたレーザ光が光吸収シート２５に入射した場合、第二固定部材２２の他の前面部分と比べて、反射光の生成がより抑えられることになる。作業者は、光放出穴２１２から放出されたレーザ光が反射されにくくなる位置を見出すことにより、画像表示装置１に固定した第一固定部材２１と壁面に固定した第二固定部材２２との位置関係を調整することが容易になり、壁面への画像表示装置１の設置が容易となる。
【００３８】
上述した実施の形態では、レーザ光を放出するための光放出穴２１２を第一固定部材２１に２つ設置していたが、１つ又は３つ以上のレーザ光を用いる構成とし、１つ又は３つ以上の光放出穴２１２を設ける構成としてもよい。
【００３９】
上述した実施の形態では、鏡面反射シートまたは光吸収シートを用いていたが、第二固定部材２２の前側とは反射率の異なる他の部材を用いてもよい。第二固定部材２２の前側全体とは反射率が異なるような塗装、加工を一部に施す構成としてもよい。
【００４０】
今回開示された実施の形態はすべての点で例示であって、制限的なものでは無いと考えられるべきである。各実施の形態で記載してある技術的特徴は互いに組み合わせ可能である。本発明の範囲は、上で例示した内容だけで無く、特許請求の範囲によって示され、特許請求の範囲と均等の意味及び範囲内でのすべての更新が含まれることが意図される。
【符号の説明】
【００４１】
１      画像表示装置
２      設置装置
２１    第一固定部材
２１１  嵌合部
２１２  光放出穴
２２    第二固定部材
２２１  被嵌合部
２２２  前後方向部位
２２３  上下方向部位
２２４  切り欠き部位
２３    鏡反射シート
２４    乱反射シート
２５    光吸収シート
３      レーザ光発生機
４      反射鏡
【図１】
2014071162.tif 000003
【図２】
2014071162.tif 000004
【図３】
2014071162.tif 000005
【図４】
2014071162.tif 000006
【図５】
2014071162.tif 000007
【図６】
2014071162.tif 000008